(57)【要約】【課題】装置の低コスト化を図り、入金管理の簡易化を図ることができる貨幣入金機を提供する。【解決手段】貨幣入金機は、携帯端末がユーザから受付けた入金指示の入金指示情報を、携帯端末から無線通信により受信する受信部と、受信部が受信した入金指示情報に応じて、ユーザが入金口に投入した貨幣の入金処理を行う入金処理部と、入金処理部が行った入金処理の入金結果を、携帯端末に無線通信により送信する送信部と、を備える。【選択図】図７
2018147249.tif 000002
【特許請求の範囲】
【請求項１】
携帯端末がユーザから受付けた入金指示の入金指示情報を、前記携帯端末から無線通信により受信する受信部と、
前記受信部が受信した前記入金指示情報に応じて、前記ユーザが入金口に投入した貨幣の入金処理を行う入金処理部と、
前記入金処理部が行った入金処理の入金結果を、前記携帯端末に無線通信により送信する送信部と、
を備える貨幣入金機。
【請求項２】
前記入金処理部は、前記入金指示情報に含まれる入金金額と、前記入金口に投入された貨幣の識別計数結果とを比較する、
請求項１に記載の貨幣入金機。
【請求項３】
前記携帯端末に前記入金結果が送信された後、前記携帯端末との無線通信を終了する通信制御部、
を更に備える請求項１または２に記載の貨幣入金機。
【請求項４】
携帯端末がユーザから受付けた出金指示の出金指示情報を、前記携帯端末から無線通信により受信する受信部と、
前記受信部が受信した前記出金指示情報に応じて、収納部に収納している貨幣の出金処理を行う出金処理部と、
前記出金処理部が行った出金処理の出金結果を、前記携帯端末に無線通信により送信する送信部と、
を備える貨幣出金機。
【請求項５】
前記出金処理部は、前記出金指示情報に含まれる出金金額と、出金口に出金された貨幣の金額とを比較する、
請求項４に記載の貨幣出金機。
【請求項６】
前記携帯端末に前記出金結果が送信された後、前記携帯端末との無線通信を終了する通信制御部、
を更に備える請求項４または５に記載の貨幣出金機。
【請求項７】
ユーザから受付けた入金指示の入金指示情報を、貨幣入金機に無線通信により送信する送信部と、
前記送信部が送信した前記入金指示情報に応じて、前記ユーザが入金口に投入した貨幣の入金処理を行った前記貨幣入金機から、入金結果を無線通信により受信する受信部と、
前記受信部が受信した前記入金結果を記憶する記憶部と、
を備える携帯端末。
【請求項８】
前記受信部が受信した前記入金結果を上位装置に送信する上位送信部、
を更に備える請求項７に記載の携帯端末。
【請求項９】
前記上位送信部が前記入金結果を前記上位装置に送信した後、入金処理が完了したことを表示する表示部、
を更に備える請求項８に記載の携帯端末。
【請求項１０】
ユーザから受付けた出金指示の出金指示情報を、貨幣出金機に無線通信により送信する送信部と、
前記送信部が送信した前記出金指示情報に応じて、収納部に収納している貨幣の出金処理を行った前記貨幣出金機から、出金結果を無線通信により受信する受信部と、
前記受信部が受信した前記出金結果を記憶する記憶部と、
を備える携帯端末。
【請求項１１】
前記受信部が受信した前記出金結果を上位装置に送信する上位送信部、
を更に備える請求項１０に記載の携帯端末。
【請求項１２】
前記上位送信部が前記出金結果を前記上位装置に送信した後、出金処理が完了したことを表示する表示部、
を更に備える請求項１１に記載の携帯端末。
【請求項１３】
貨幣入金機、貨幣出金機、および携帯端末を備える入出金システムであって、
前記貨幣入金機は、
前記携帯端末がユーザから受付けた入金指示の入金指示情報を、前記携帯端末から無線通信により受信する入金受信部と、
前記入金受信部が受信した前記入金指示情報に応じて、前記ユーザが入金口に投入した貨幣の入金処理を行う入金処理部と、
前記入金処理部が行った入金処理の入金結果を、前記携帯端末に無線通信により送信する入金送信部と、を備え、
前記貨幣出金機は、
前記携帯端末が前記ユーザから受付けた出金指示の出金指示情報を、前記携帯端末から無線通信により受信する出金受信部と、
前記出金受信部が受信した前記出金指示情報に応じて、収納部に収納している貨幣の出金処理を行う出金処理部と、
前記出金処理部が行った出金処理の出金結果を、前記携帯端末に無線通信により送信する出金送信部と、を備え、
前記携帯端末は、
前記貨幣入金機から送信される前記入金結果または前記貨幣出金機から送信される前記出金結果を記憶する記憶部、を備える
入出金システム。
【請求項１４】
前記携帯端末は、前記貨幣入金機から送信される前記入金結果または前記貨幣出金機から送信される前記出金結果を上位装置に送信する上位送信部、
を更に備える請求項１３に記載の入出金システム。
【発明の詳細な説明】
【技術分野】
【０００１】
本発明は、貨幣入金機、貨幣出金機、携帯端末、および入出金システムに関する。
【背景技術】
【０００２】
特許文献１には、入金算出部によって算出された入金金額または入金算出部によって算出された入金金額に基づいて算出された回収金額が、入金回収表示部に、ＱＲコード（登録商標）、バーコードなどのコード情報として表示される貨幣入金回収システムが開示されている。
【先行技術文献】
【特許文献】
【０００３】
【特許文献１】特開２０１０−２０４７９３号公報
【発明の概要】
【発明が解決しようとする課題】
【０００４】
ところで近年、売上金の入金または出金を行う貨幣処理機の低コスト化が望まれ、また、入金管理または出金管理の簡易化が望まれている。
【０００５】
そこで本発明は、装置の低コスト化を図り、入金または出金管理の簡易化を図る技術を提供することを目的とする。
【課題を解決するための手段】
【０００６】
本発明の貨幣入金機は、携帯端末がユーザから受付けた入金指示の入金指示情報を、前記携帯端末から無線通信により受信する受信部と、前記受信部が受信した前記入金指示情報に応じて、前記ユーザが入金口に投入した貨幣の入金処理を行う入金処理部と、前記入金処理部が行った入金処理の入金結果を、前記携帯端末に無線通信により送信する送信部と、を備える。
【０００７】
本発明の貨幣出金機は、携帯端末がユーザから受付けた出金指示の出金指示情報を、前記携帯端末から無線通信により受信する受信部と、前記受信部が受信した前記出金指示情報に応じて、収納部に収納している貨幣の出金処理を行う出金処理部と、前記出金処理部が行った出金処理の出金結果を、前記携帯端末に無線通信により送信する送信部と、を備える。
【０００８】
本発明の携帯端末は、ユーザから受付けた入金指示の入金指示情報を、貨幣入金機に無線通信により送信する送信部と、前記送信部が送信した前記入金指示情報に応じて、前記ユーザが入金口に投入した貨幣の入金処理を行った前記貨幣入金機から、入金結果を無線通信により受信する受信部と、前記受信部が受信した前記入金結果を記憶する記憶部と、を備える。
【０００９】
本発明の携帯端末は、ユーザから受付けた出金指示の出金指示情報を、貨幣出金機に無線通信により送信する送信部と、前記送信部が送信した前記出金指示情報に応じて、収納部に収納している貨幣の出金処理を行った前記貨幣出金機から、出金結果を無線通信により受信する受信部と、前記受信部が受信した前記出金結果を記憶する記憶部と、を有する。
【００１０】
本発明の入出金システムは、貨幣入金機、貨幣出金機、および携帯端末を備える入出金システムであって、前記貨幣入金機は、前記携帯端末がユーザから受付けた入金指示の入金指示情報を、前記携帯端末から無線通信により受信する入金受信部と、前記入金受信部が受信した前記入金指示情報に応じて、前記ユーザが入金口に投入した貨幣の入金処理を行う入金処理部と、前記入金処理部が行った入金処理の入金結果を、前記携帯端末に無線通信により送信する入金送信部と、を備え、前記貨幣出金機は、前記携帯端末が前記ユーザから受付けた出金指示の出金指示情報を、前記携帯端末から無線通信により受信する出金受信部と、前記出金受信部が受信した前記出金指示情報に応じて、収納部に収納している貨幣の出金処理を行う出金処理部と、前記出金処理部が行った出金処理の出金結果を、前記携帯端末に無線通信により送信する出金送信部と、を備え、前記携帯端末は、前記貨幣入金機から送信される前記入金結果または前記貨幣出金機から送信される前記出金結果を記憶する記憶部、を備える。
【発明の効果】
【００１１】
本発明によれば、装置の低コスト化を図り、入金または出金管理の簡易化を図ることができる。
【図面の簡単な説明】
【００１２】
【図１】本発明の一実施形態に係る入出金システムの構成例を示した図である。
【図２】携帯端末、貨幣入金機、およびサーバの概略動作例を示したシーケンス図である。
【図３】携帯端末、貨幣出金機、およびサーバの概略動作例を示したシーケンス図である。
【図４】携帯端末の外観例を示した図である。
【図５】携帯端末の機能ブロック例を示した図である。
【図６】記憶部に記憶される入出金情報テーブルのデータ構成例を示した図である。
【図７】貨幣入金機の概略内部構成例を示した図である。
【図８】貨幣入金機の制御部の機能ブロック例を示した図である。
【図９】貨幣出金機の概略内部構成例を示した図である。
【図１０】貨幣出金機の制御部の機能ブロック例を示した図である。
【図１１】サーバの機能ブロック例を示した図である。
【図１２】記憶部に記憶される入出金情報テーブルのデータ構成例を示した図である。
【図１３】入金時における携帯端末の画面遷移例を示した図である。
【図１４】出金時における携帯端末の画面遷移例を示した図である。
【図１５】携帯端末の入金処理における動作例を示したフローチャートである。
【図１６】携帯端末の出金処理における動作例を示したフローチャートである。
【図１７】貨幣入金機の動作例を示したフローチャートである。
【図１８】貨幣出金機の動作例を示したフローチャートである。
【発明を実施するための形態】
【００１３】
以下、本発明の実施の形態を、図面を参照して説明する。
【００１４】
図１は、本発明の一実施形態に係る入出金システムの構成例を示した図である。図１には、入出金システムが適用される例として、大型ショッピングモールのフロアー５が示してある。フロアー５には、テナント６ａ〜６ｆと、出納室７と、が設けられている。図１に示すように、入出金システムは、携帯端末１ａ〜１ｆと、貨幣入金機２と、貨幣出金機３と、サーバ（上位装置）４と、を有している。
【００１５】
携帯端末１ａ〜１ｆは、例えば、タブレット端末である。携帯端末１ａ〜１ｆは、例えば、ＮＦＣ（Near field radio communication）機能を有し、貨幣入金機２および貨幣出金機３と無線通信を行う。
【００１６】
携帯端末１ａ〜１ｆのそれぞれは、各テナント６ａ〜６ｆによって管理され、各テナント６ａ〜６ｆの店員によって使用される。各テナント６ａ〜６ｆの店員は、以下で詳述するが、出納室７に設置されている貨幣入金機２に対し、携帯端末１ａ〜１ｆを用いて、店舗の売上等の入金操作を行うことができる。
【００１７】
また、各テナント６ａ〜６ｆの店員は、以下で詳述するが、出納室７に設置されている貨幣出金機３に対し、携帯端末１ａ〜１ｆを用いて、店舗で使用する釣銭等の出金操作を行うことができる。以下では、携帯端末１ａ〜１ｆを使用する店員を、ユーザと呼ぶことがある。
【００１８】
貨幣入金機２は、携帯端末１ａ〜１ｆが載置される載置部２ａを有している。図１の矢印Ａ１は、テナント６ａの携帯端末１ａが、載置部２ａに載置されようとしている様子を示している。
【００１９】
貨幣入金機２は、入金を行うための入力装置および表示装置を備えていない。載置部２ａに載置された携帯端末１ａ〜１ｆが、貨幣入金機２の入力装置および表示装置となる。すなわち、ユーザは、携帯端末１ａ〜１ｆの表示装置に表示される画面に従って、貨幣入金機２を操作し、貨幣入金機２に貨幣を入金する。
【００２０】
貨幣出金機３は、携帯端末１ａ〜１ｆが載置される載置部３ａを有している。図１に示す矢印Ａ２は、テナント６ａの携帯端末１ａが、載置部３ａに載置されようとしている様子を示している。
【００２１】
貨幣出金機３は、出金を行うための入力装置および表示装置を備えていない。載置部３ａに載置された携帯端末１ａ〜１ｆが、貨幣出金機３の入力装置および表示装置となる。すなわち、ユーザは、携帯端末１ａ〜１ｆの表示装置に表示される画面に従って、貨幣出金機３を操作し、貨幣出金機３から貨幣を出金する。
【００２２】
サーバ４は、携帯端末１ａ〜１ｆと通信を行うことができる。例えば、サーバ４と携帯端末１ａ〜１ｆは、携帯電話の移動通信ネットワークおよびインターネット等のネットワークを利用して、通信を行うことができる。
【００２３】
携帯端末１ａ〜１ｆは、ユーザが貨幣入金機２に対して行った入金の情報をサーバ４に送信する。サーバ４は、携帯端末１ａ〜１ｆから送信された入金の情報を記憶する。
【００２４】
また、携帯端末１ａ〜１ｆは、ユーザが貨幣出金機３に対して行った出金の情報をサーバ４に送信する。サーバ４は、携帯端末１ａ〜１ｆから送信された出金の情報を記憶する。
【００２５】
なお、図１では、貨幣入金機２は、１台しか示していないが、２台以上設置されてもよい。また、貨幣出金機３は、１台しか示していないが、２台以上設置されてもよい。また、出納室７は、テナント６ａ〜６ｆとは別のフロアーに設けられていてもよい。
【００２６】
また、図１の例では、各テナント６ａ〜６ｆは、１台の携帯端末１ａ〜１ｆを所有しているが、複数台の携帯端末を所持していてもよい。
【００２７】
また、入出金システムが適用される例として、大型ショッピングモールを例に挙げたが、これに限られない。例えば、入出金システムは、商店街などにも適用することができる。
【００２８】
図２は、携帯端末１ａ、貨幣入金機２、およびサーバ４の概略動作例を示したシーケンス図である。以下では、テナント６ａのユーザが、携帯端末１ａを用いて、貨幣入金機２に対して入金を行う際の概略動作例について説明する。
【００２９】
まず、携帯端末１ａは、ユーザから、入金を開始するための操作を受付ける（ステップＳ１）。
【００３０】
次に、携帯端末１ａは、ステップＳ１にて、ユーザから入金を開始するための操作を受付けると、携帯端末１ａを貨幣入金機２の載置部２ａに置くように、表示装置に指示画面を表示する。ユーザが、携帯端末１ａの表示装置に表示された指示画面に従って、携帯端末１ａを貨幣入金機２の載置部２ａに置くと、携帯端末１ａおよび貨幣入金機２は、ユーザ認証を行う（ステップＳ２）。
【００３１】
なお、携帯端末１ａは、ステップＳ２のユーザ認証が完了すると、貨幣入金機２の入金口に貨幣を投入するよう表示装置に指示画面を表示する。また、携帯端末１ａは、貨幣入金機２に対し、入金処理を指示するためのボタンを表示装置に表示する。
【００３２】
ユーザは、携帯端末１ａの表示装置に表示された指示画面に従って、貨幣入金機２の入金口に貨幣を投入したとする。そして、ユーザは、携帯端末１ａの表示装置に表示された、貨幣入金機２に対して入金処理を指示するためのボタンを押下したとする。
【００３３】
携帯端末１ａは、ユーザから、貨幣入金機２に対する入金処理の指示（入金処理を指示するためのボタンの押下）を受付ける（ステップＳ３）。
【００３４】
次に、携帯端末１ａは、ステップＳ３にてユーザから入金指示を受付けると、入金指示情報を貨幣入金機２に送信する（ステップＳ４）。
【００３５】
次に、貨幣入金機２は、ステップＳ４にて送信された入金指示情報を受信すると、入金処理を行う（ステップＳ５）。例えば、貨幣入金機２は、ユーザが入金口に投入した貨幣を１枚ずつ取り込んで搬送しながら金種を識別し、金額を計数して合計金額を算出すると共に、取り込んだ貨幣を装置内の収納部に収納する。
【００３６】
次に、貨幣入金機２は、ステップＳ５の入金処理が完了すると、入金結果を携帯端末１ａに送信する（ステップＳ６）。入金結果には、例えば、ユーザが貨幣入金機２に入金した金額の情報等が含まれる。
【００３７】
次に、携帯端末１ａは、ステップＳ６にて送信された入金結果を受信すると、受信した入金結果を記憶装置に記憶する（ステップＳ７）。
【００３８】
次に、携帯端末１ａは、ステップＳ７にて入金結果を記憶装置に記憶すると、入金結果をサーバ４に送信する（ステップＳ８）。
【００３９】
次に、サーバ４は、ステップＳ８にて送信された入金結果を受信すると、受信した入金結果を記憶装置に記憶する（ステップＳ９）。
【００４０】
このように、携帯端末１ａは、貨幣入金機２の載置部２ａに載置され、貨幣入金機２の入出力機能を担う。例えば、携帯端末１ａは、貨幣入金機２の表示装置として機能し、また、キー入力装置として機能する。これにより、貨幣入金機２は、入出力装置を備えなくて済み、コスト低減を図ることができる。
【００４１】
また、携帯端末１ａは、ユーザが貨幣入金機２に入金した貨幣の入金結果を記憶する。これにより、ユーザは、例えば、貨幣入金機２まで足を運ぶことなく、携帯端末１ａに記憶された入金履歴を表示装置に表示させ、閲覧することができる。また、貨幣入金機２は、入金の情報を記憶する記憶装置を備えなくて済み、コスト低減を図ることができる。
【００４２】
また、携帯端末１ａは、貨幣入金機２から送信された入金結果をサーバ４に送信する。これにより、貨幣入金機２は、サーバ４と通信するための通信機能を備えなくて済み、コスト低減を図ることができる。
【００４３】
また、携帯端末１ａおよび貨幣入金機２は、ユーザ認証を行う。これにより、携帯端末１ａおよび貨幣入金機２は、入金の際のセキュリティを維持することができる。
【００４４】
図３は、携帯端末１ａ、貨幣出金機３、およびサーバ４の概略動作例を示したシーケンス図である。以下では、テナント６ａのユーザが、携帯端末１ａを用いて、貨幣出金機３に対して出金を行う際の概略動作例について説明する。
【００４５】
まず、携帯端末１ａは、ユーザから、出金を開始するための操作を受付ける（ステップＳ１１）。
【００４６】
次に、携帯端末１ａは、ステップＳ１１にて、ユーザから出金を開始するための操作を受付けると、携帯端末１ａを貨幣出金機３の載置部３ａに置くように、表示装置に指示画面を表示する。ユーザが、携帯端末１ａの表示装置に表示された指示画面に従って、携帯端末１ａを貨幣出金機３の載置部３ａに置くと、携帯端末１ａおよび貨幣出金機３は、ユーザ認証を行う（ステップＳ１２）。
【００４７】
なお、携帯端末１ａは、ステップＳ１２のユーザ認証が完了すると、ユーザに貨幣の金種ごとの出金枚数を入力させる画面を表示装置に表示する。また、携帯端末１ａは、貨幣出金機３に対し、出金処理を指示するためのボタンを表示装置に表示する。
【００４８】
ユーザは、携帯端末１ａの表示装置に表示された出金枚数の画面において、貨幣の出金枚数を入力したとする。そして、ユーザは、貨幣出金機３に対して出金処理を指示するためのボタンを押下したとする。
【００４９】
携帯端末１ａは、ユーザから、貨幣出金機３に対する出金処理の指示を受付ける（ステップＳ１３）。
【００５０】
次に、携帯端末１ａは、ステップＳ１３にてユーザから出金指示を受付けると、出金指示情報を貨幣出金機３に送信する（ステップＳ１４）。
【００５１】
次に、貨幣出金機３は、ステップＳ１４にて送信された出金指示情報を受信すると、出金処理を行う（ステップＳ１５）。例えば、貨幣出金機３は、収納部に収納されている貨幣を、ユーザが携帯端末１ａに入力した出金枚数分、出金口に出金する。
【００５２】
次に、貨幣出金機３は、ステップＳ１５の出金処理が完了すると、出金結果を携帯端末１ａに送信する（ステップＳ１６）。出金結果には、例えば、貨幣出金機３が出金口に出金した金額の情報等が含まれる。
【００５３】
次に、携帯端末１ａは、ステップＳ１６にて送信された出金結果を受信すると、受信した出金結果を記憶装置に記憶する（ステップＳ１７）。
【００５４】
次に、携帯端末１ａは、ステップＳ１７にて出金結果を記憶装置に記憶すると、出金結果をサーバ４に送信する（ステップＳ１８）。
【００５５】
次に、サーバ４は、ステップＳ１８にて送信された出金結果を受信すると、受信した出金結果を記憶装置に記憶する（ステップＳ１９）。
【００５６】
このように、携帯端末１ａは、貨幣出金機３の載置部３ａに載置され、貨幣出金機３の入出力機能を担う。例えば、携帯端末１ａは、貨幣出金機３の表示装置として機能し、また、キー入力装置として機能する。これにより、貨幣出金機３は、入出力装置を備えなくて済み、コスト低減を図ることができる。
【００５７】
また、携帯端末１ａは、貨幣出金機３がユーザに出金した貨幣の出金結果を記憶する。これにより、ユーザは、例えば、貨幣出金機３まで足を運ぶことなく、携帯端末１ａに記憶された出金履歴を表示装置に表示させ、閲覧することができる。また、貨幣出金機３は、出金の情報を記憶する記憶装置を備えなくて済み、コスト低減を図ることができる。
【００５８】
また、携帯端末１ａは、貨幣出金機３から送信された出金結果をサーバ４に送信する。これにより、貨幣出金機３は、サーバ４と通信するための通信機能を備えなくて済み、コスト低減を図ることができる。
【００５９】
また、携帯端末１ａおよび貨幣出金機３は、ユーザ認証を行う。これにより、携帯端末１ａおよび貨幣出金機３は、出金の際のセキュリティを維持することができる。
【００６０】
図４は、携帯端末１ａの外観例を示した図である。図４に示すように、携帯端末１ａは、表示装置１１と、指紋読取装置１２と、撮像装置１３と、を有している。なお、他の携帯端末１ｂ〜１ｆも携帯端末１ａと同様の外観を有している。
【００６１】
図５は、携帯端末１ａの機能ブロック例を示した図である。図５に示すように、携帯端末１ａは、受付部２１と、認証部２２と、送信部２３と、受信部２４と、上位装置通信部２５と、表示部２６と、記憶部２７と、を有している。なお、他の携帯端末１ｂ〜１ｆも携帯端末１ａと同様の機能ブロックを有しており、その説明を省略する。
【００６２】
受付部２１は、ユーザが携帯端末１ａに対して行った操作の情報を受付ける。例えば、携帯端末１ａの表示装置１１上面には、透明のタッチパネルが設けられており、受付部２１は、ユーザがタッチパネルに対して行った操作の情報を受付ける。
【００６３】
認証部２２は、貨幣入金機２に対して入金することができるユーザの認証処理を行う。また、認証部２２は、貨幣出金機３に対して出金することができるユーザの認証処理を行う。
【００６４】
例えば、認証部２２は、指紋読取装置１２が読み取った指紋情報を貨幣入金機２に送信する。貨幣入金機２は、認証部２２から送信された指紋情報と一致する指紋情報を記憶していた場合、ユーザ認証が適切である旨を認証部２２に返す。認証部２２は、貨幣入金機２から、ユーザ認証が適切である旨を受信すると、入金手続の処理を進める。
【００６５】
なお、認証部２２は、撮像装置１３が撮像したユーザの顔画像データに基づいて、ユーザ認証を行ってもよい。例えば、認証部２２は、撮像装置１３が撮像したユーザの顔画像データを貨幣入金機２に送信する。貨幣入金機２は、認証部２２から送信された顔画像データと一致する顔画像データを記憶していた場合、ユーザ認証が適切である旨を認証部２２に返す。認証部２２は、貨幣入金機２から、ユーザ認証が適切である旨を受信すると、入金手続の処理を進める。以下では、認証部２２は、指紋認証によってユーザ認証を行うとする。
【００６６】
送信部２３は、無線通信によって、貨幣入金機２に情報を送信する。例えば、送信部２３は、ＮＦＣによって、貨幣入金機２に情報を送信する。
【００６７】
また、送信部２３は、無線通信によって、貨幣出金機３に情報を送信する。例えば、送信部２３は、ＮＦＣによって、貨幣入金機２に情報を送信する。
【００６８】
受信部２４は、無線通信によって、貨幣入金機２から送信される情報を受信する。例えば、受信部２４は、ＮＦＣによって、貨幣入金機２から送信される情報を受信する。
【００６９】
また、受信部２４は、無線通信によって、貨幣出金機３から送信される情報を受信する。例えば、受信部２４は、ＮＦＣによって、貨幣出金機３から送信される情報を受信する。
【００７０】
上位装置通信部２５は、サーバ４と通信を行う。例えば、上位装置通信部２５は、携帯電話の移動通信ネットワークおよびインターネット等のネットワークを利用して、サーバ４と通信を行う。
【００７１】
表示部２６は、表示装置１１に所定の情報を表示する。
【００７２】
記憶部２７には、貨幣入金機２に貨幣を入金した入金情報が記憶される。また、記憶部２７には、貨幣出金機３から貨幣を出金した出金情報が記憶される。
【００７３】
なお、受付部２１、認証部２２、および表示部２６は、例えば、ＣＰＵ（Central Processing Unit）によってその機能が実現される。送信部２３、受信部２４、および上位装置通信部２５は、例えば、無線インターフェース装置などの通信装置によってその機能が実現される。記憶部２７は、例えば、メモリによってその機能が実現される。
【００７４】
図６は、記憶部２７に記憶される入出金情報テーブル２７ａのデータ構成例を示した図である。図６に示す入出金情報テーブル２７ａは、記憶部２７に記憶されている。
【００７５】
入出金情報テーブル２７ａは、入金または出金が行われた「取引開始日時」の情報と、入金または出金が終了した「取引終了日時」の情報と、を有している。
【００７６】
また、入出金情報テーブル２７ａは、テナント６ａ〜６ｆ（店舗）を識別する「店舗識別コード」の情報と、ユーザが行った「処理内容」の情報と、を有している。ユーザが行った処理内容には、釣銭出金と入金とがある。
【００７７】
また、入出金情報テーブル２７ａは、入金または出金処理を行ったユーザの「操作者ＩＤ」の情報と、入金または出金の際に使用された携帯端末を識別する「携帯端末Ｎｏ．」の情報と、を有している。また、入出金情報テーブル２７ａは、入金処理を行った処理機（貨幣入金機２および貨幣出金機３）を識別する「処理機Ｎｏ．」の情報を有している。
【００７８】
また、入出金情報テーブル２７ａは、貨幣入金機２に入金した貨幣の金種ごとの「金種枚数」の情報と、貨幣出金機３から出金した貨幣の金種ごとの「金種枚数」の情報と、を有している。また、入出金情報テーブル２７ａは、貨幣入金機２に入金した貨幣の「合計金額」の情報および貨幣出金機３から出金した貨幣の「合計金額」の情報を有している。
【００７９】
図２のステップＳ６で説明したように、貨幣入金機２は、入金処理が完了すると、入金結果を携帯端末１ａに送信する。貨幣入金機２から送信される入金結果には、入金が開始された「取引開始日時」および入金が終了した「取引終了日時」が含まれている。また、入金結果には、入金を行った店舗（テナント）の「店舗識別コード」、入金処理を行ったことを示す「処理内容」、入金を行ったユーザの「操作者ＩＤ」、ユーザが入金の際に使用した携帯端末の「携帯端末Ｎｏ．」、およびユーザが入金を行った貨幣入金機２の「処理機Ｎｏ．」が含まれている。また、入金結果には、貨幣入金機２に入金された貨幣の金種ごとの「金種枚数」および「合計金額」の情報が含まれている。携帯端末１ａの受信部２４は、貨幣入金機２から受信した入金結果に含まれるこれらの情報を、入出金情報テーブル２７ａに記憶する。
【００８０】
また、図３のステップＳ１６で説明したように、貨幣出金機３は、出金処理が完了すると、出金結果を携帯端末１ａに送信する。貨幣出金機３から送信される出金結果には、出金が開始された「取引開始日時」および出金が終了した「取引終了日時」が含まれている。また、出金結果には、出金を行った店舗（テナント）の「店舗識別コード」、出金処理を行ったことを示す「処理内容」、出金を行ったユーザの「操作者ＩＤ」、ユーザが出金の際に使用した携帯端末の「携帯端末Ｎｏ．」、およびユーザが出金を行った貨幣出金機３の「処理機Ｎｏ．」が含まれている。また、出金結果には、貨幣出金機３から出金された貨幣の金種ごとの「金種枚数」および「合計金額」の情報が含まれている。携帯端末１ａの受信部２４は、貨幣出金機３から受信した出金結果に含まれるこれらの情報を、入出金情報テーブル２７ａに記憶する。
【００８１】
図７は、貨幣入金機２の概略内部構成例を示した図である。図７に示すように、貨幣入金機２は、制御部３１と、入金口３２と、搬送部３３と、識別部３４と、リジェクト口３５と、一時保留部３６ａ〜３６ｃと、収納部３７ａ〜３７ｃと、を有している。なお、図７の貨幣入金機２には、図１で説明した、携帯端末１ａ〜１ｆが載置される載置部２ａも示してある。
【００８２】
制御部３１は、貨幣入金機２の装置全体を制御する。例えば、制御部３１は、貨幣入金機２の入金処理を制御する。
【００８３】
入金口３２には、貨幣が投入される。入金口３２に投入される貨幣は、例えば、１０００円、５０００円、および１００００円の紙幣である。入金口３２に投入された貨幣は、搬送部３３によって、リジェクト口３５、一時保留部３６ａ〜３６ｃ、または収納部３７ａ〜３７ｃに搬送される。
【００８４】
識別部３４は、入金口３２と一時保留部３６ａ〜３６ｃとの間の搬送部３３上に設けられている。識別部３４は、入金口３２に投入された貨幣の真贋、正損、金種、および枚数等を識別する。
【００８５】
入金口３２に投入された貨幣は、識別部３４の識別結果に応じて、リジェクト口３５、一時保留部３６ａ〜３６ｃ、または収納部３７ａ〜３７ｃに搬送される。例えば、偽券や識別できなかつた紙幣は、リジェクト口３５へ搬送される。
【００８６】
一時保留部３６ａ〜３６ｃは、入金口３２に投入された貨幣を一時的に保留する。貨幣は、金種別に一時保留部３６ａ〜３６ｃに一時保留される。
【００８７】
一時保留部３６ａ〜３６ｃに一時保留された貨幣は、ユーザによって入金金額が確定（確認）されると、収納部３７ａ〜３７ｃに搬送され、収納される。貨幣は、金種別に収納部３７ａ〜３７ｃに収納される。
【００８８】
図８は、貨幣入金機２の制御部３１の機能ブロック例を示した図である。図８に示すように、制御部３１は、入金処理部４１と、送信部４２と、受信部４３と、認証部４４と、記憶部４５と、有している。
【００８９】
入金処理部４１は、貨幣入金機２の入金処理を行う。例えば、入金処理部４１は、搬送部３３を制御し、入金口３２に投入された貨幣を、識別部３４に搬送させる。そして、入金処理部４１は、識別部３４の識別結果に基づいて、入金口３２に投入された貨幣の金種ごとの枚数を計数し、入金口３２に投入された貨幣の合計金額を算出する。また、入金処理部４１は、例えば、ＲＴＣ（Real-Time Clock、図示せず）から、入金取引が開始された取引開始日時および入金取引が終了した取引終了日時を取得する。
【００９０】
入金処理部４１は、取引開始日時の情報、取引終了日時の情報、入金処理を示す処理内容、ユーザが使用している携帯端末Ｎｏ．の情報、貨幣入金機２を識別する処理機Ｎｏ．の情報、入金口３２に投入された貨幣の金種ごとの枚数の情報、および合計金額の情報を含む入金結果を、送信部４２を介して携帯端末１ａに送信する。入金処理部４１は、入金結果を、例えば、ＣＳＶ形式で携帯端末１ａに送信する。
【００９１】
送信部４２は、無線通信によって、載置部２ａに載置された携帯端末１ａ〜１ｆに情報（データ）を送信する。例えば、送信部４２は、ＮＦＣによって、載置部２ａに載置された携帯端末１ａ〜１ｆに情報を送信する。
【００９２】
受信部４３は、無線通信によって、載置部２ａに載置された携帯端末１ａ〜１ｆから情報を受信する。例えば、受信部４３は、ＮＦＣによって、載置部２ａに載置された携帯端末１ａ〜１ｆから情報を受信する。
【００９３】
認証部４４は、貨幣入金機２に入金しようとするユーザの認証処理を行う。例えば、認証部４４は、携帯端末１ａ〜１ｆから送信されるユーザの指紋情報を受信し、記憶部４５に予め記憶されている指紋情報と照合する。認証部４４は、携帯端末１ａ〜１ｆから送信される指紋情報と、記憶部４５に予め記憶されている指紋情報とが一致した場合（例えば、指紋情報が所定の閾値以上で一致した場合）、ユーザ認証は適切であると判定する。そして、認証部４４は、送信部４２を介して、認証結果を携帯端末１ａ〜１ｆに送信する。
【００９４】
記憶部４５には、ユーザ認証を行うための指紋情報が予め記憶されている。指紋情報は、ユーザ情報が対応付けられ、記憶部４５に記憶されている。例えば、指紋情報は、ユーザが所属する店舗の「店舗識別コード」と、ユーザを識別する「操作者ＩＤ」とが対応付けられ、記憶部４５に記憶されている。これにより、入金処理部４１は、入金結果を携帯端末１ａ〜１ｆに送信する際、入金を行ったユーザが所属する「店舗識別コード」および「操作者ＩＤ」を記憶部４５から取得し、入金結果に含めて送信することができる。
【００９５】
なお、入金処理部４１および認証部４４は、例えば、ＣＰＵによってその機能が実現される。送信部４２および受信部４３は、例えば、無線インターフェース装置などの通信装置によってその機能が実現される。記憶部４５は、例えば、メモリによってその機能が実現される。
【００９６】
図９は、貨幣出金機３の概略内部構成例を示した図である。図９に示すように、貨幣出金機３は、制御部５１と、収納部５２と、搬送部５３と、識別部５４と、出金口５５と、を有している。なお、図９の貨幣出金機３には、図１で説明した、携帯端末１ａ〜１ｆが載置される載置部３ａも示してある。
【００９７】
制御部５１は、貨幣出金機３の装置全体を制御する。例えば、制御部５１は、貨幣出金機３の出金処理を制御する。
【００９８】
収納部５２には、出金口５５に出金する貨幣が収納されている。収納部５２に収納される貨幣は、例えば、テナント６ａ〜６ｆで使用される釣銭（硬貨）である。貨幣は、金種別に収納部５２に収納されている。
【００９９】
搬送部５３は、収納部５２から出金される貨幣を出金口５５に搬送する。識別部５４は、搬送部５３によって、出金口５５に出金される貨幣の金種および枚数等を識別する。
【０１００】
図１０は、貨幣出金機３の制御部５１の機能ブロック例を示した図である。図１０に示すように、制御部５１は、出金処理部６１と、送信部６２と、受信部６３と、認証部６４と、記憶部６５と、を有している。
【０１０１】
出金処理部６１は、貨幣出金機３の出金処理を行う。例えば、出金処理部６１は、出金口５５に出金する貨幣を収納部５２から繰り出す。その際、出金処理部６１は、携帯端末１ａ〜１ｆから指示のあった金種で、かつ、携帯端末１ａ〜１ｆから指示のあった枚数の貨幣を収納部５２から繰り出す。また、出金処理部６１は、例えば、ＲＴＣ（図示せず）から、出金取引が開始された取引開始日時および出金取引が終了した取引終了日時を取得する。
【０１０２】
出金処理部６１は、取引開始日時の情報、取引終了日時の情報、出金処理を示す処理内容、ユーザが使用している携帯端末Ｎｏ．の情報、貨幣出金機３を識別する処理機Ｎｏ．の情報、出金口５５に出金した貨幣の金種ごとの枚数の情報、および合計金額の情報を含む出金結果を、送信部６２を介して携帯端末１ａに送信する。出金処理部６１は、出金結果を、例えば、ＣＳＶ形式で携帯端末１ａに送信する。
【０１０３】
送信部６２は、無線通信によって、載置部３ａに載置された携帯端末１ａ〜１ｆに情報（データ）を送信する。例えば、送信部６２は、ＮＦＣによって、載置部３ａに載置された携帯端末１ａ〜１ｆに情報を送信する。
【０１０４】
受信部６３は、無線通信によって、載置部３ａに載置された携帯端末１ａ〜１ｆから情報を受信する。例えば、受信部６３は、ＮＦＣによって、載置部３ａに載置された携帯端末１ａ〜１ｆから情報を受信する。
【０１０５】
認証部６４は、貨幣出金機３から貨幣を出金しようとするユーザの認証処理を行う。認証部６４の動作は、図８で説明した認証部４４と同様であり、その説明を省略する。
【０１０６】
記憶部６５には、ユーザ認証を行うための指紋情報が予め記憶されている。記憶部６５の指紋情報の記憶は、記憶部４５と同様であり、その説明を省略する。なお、出金処理部６１は、出金結果を携帯端末１ａ〜１ｆに送信する際、出金を行ったユーザが所属する「店舗識別コード」および「操作者ＩＤ」を記憶部６５から取得し、出金結果に含めて送信する。
【０１０７】
なお、出金処理部６１および認証部６４は、例えば、ＣＰＵによってその機能が実現される。送信部４２および受信部４３は、例えば、無線インターフェース装置などの通信装置によってその機能が実現される。記憶部６５は、例えば、メモリによってその機能が実現される。
【０１０８】
図１１は、サーバ４の機能ブロック例を示した図である。図１１に示すように、サーバ４は、通信部７１と、記憶部７２と、を有している。
【０１０９】
通信部７１は、携帯端末１ａ〜１ｆと通信を行う。例えば、通信部７１は、携帯電話の移動通信ネットワークおよびインターネット等のネットワークを利用して、携帯端末１ａ〜１ｆと通信を行う。
【０１１０】
記憶部７２には、携帯端末１ａ〜１ｆから送信された入金結果および出金結果が記憶される。
【０１１１】
なお、通信部７１は、例えば、ネットワークインターフェース装置などの通信装置によってその機能が実現される。記憶部７２は、例えば、メモリによってその機能が実現される。
【０１１２】
図１２は、記憶部７２に記憶される入出金情報テーブル７２ａのデータ構成例を示した図である。入出金情報テーブル７２ａは、図６で説明した入出金情報テーブル２７ａと同様の情報を有している。ただし、入出金情報テーブル７２ａは、各テナント６ａ〜６ｆが行った入出金の入出金結果を有している所が、図６で説明した入出金情報テーブル２７ａと異なっている。すなわち、サーバ４の入出金情報テーブル７２ａには、図１に示した各テナント６ａ〜６ｆの入出金の情報が記憶される。
【０１１３】
図１３は、入金時における携帯端末１ａの画面遷移例を示した図である。ユーザは、売上金等を貨幣入金機２に入金するため、携帯端末１ａの表示装置１１に表示されている入出金アプリのアイコンをタップしたとする。すると、携帯端末１ａの表示装置１１には、図１３（ａ）に示す画面が表示される。
【０１１４】
ユーザは、貨幣入金機２に入金するため、図１３（ａ）に示す「売上金入金」と表示されたボタン８１ａを押下する。
【０１１５】
すると、携帯端末１ａの表示装置１１には、図１３（ｂ）に示すように、携帯端末１ａを貨幣入金機２の載置部２ａに載置することを指示する画面８１ｂが表示される。
【０１１６】
ユーザは、図１３（ｂ）に表示された画面８１ｂに従って、携帯端末１ａを貨幣入金機２の載置部２ａに載置する。すると、携帯端末１ａの表示装置１１には、図１３（ｃ）に示すように、認証手続を行うことを指示する画面８１ｃが表示される。
【０１１７】
ユーザは、図１３（ｃ）に表示された画面８１ｃに従って、指紋読取装置１２に指紋を読み取らせる。携帯端末１ａは、指紋認証によるユーザ認証が適切であった場合、図１３（ｄ）に示すように、貨幣を貨幣入金機２のホッパー（入金口３２）にセットすることを指示する画面８１ｄを表示装置１１に表示する。また、携帯端末１ａは、図１３（ｄ）に示すように、「入金」と表示されたボタン８１ｅを表示装置１１に表示する。
【０１１８】
ユーザが入金口３２に貨幣を投入し、「入金」と表示されたボタン８１ｅを押下すると、携帯端末１ａは、図１３（ｅ）に示すように、入金金額の確認を指示する画面８１ｆを表示装置１１に表示する。また、携帯端末１ａは、図１３（ｅ）に示すように、「ＯＫ」と表示されたボタン８１ｇを表示装置１１に表示する。
【０１１９】
ユーザが表示装置１１に表示された入金金額を確認し、「ＯＫ」と表示されたボタン８１ｇを押下すると、携帯端末１ａは、図１３（ｆ）に示すように、データ送信中であることを示す画面８１ｈを表示装置１１に表示する。
【０１２０】
携帯端末１ａは、データ送信が完了すると、図１３（ｇ）に示すように、入金処理が完了したことを示す画面８１ｉを表示装置１１に表示する。
【０１２１】
図１４は、出金時における携帯端末１ａの画面遷移例を示した図である。ユーザは、貨幣出金機３から、釣銭等に使用する貨幣を出金するため、携帯端末１ａの表示装置１１に表示されている入出金アプリのアイコンをタップしたとする。すると、携帯端末１ａの表示装置１１には、図１４（ａ）に示す画面が表示される。
【０１２２】
ユーザは、貨幣出金機３から貨幣を出金するため、図１４（ａ）に示す「出金」と表示されたボタン８２ａを押下する。
【０１２３】
すると、携帯端末１ａの表示装置１１には、図１４（ｂ）に示すように、携帯端末１ａを貨幣出金機３の載置部３ａに載置することを指示する画面８２ｂが表示される。
【０１２４】
ユーザは、図１４（ｂ）に表示された画面８２ｂに従って、携帯端末１ａを貨幣出金機３の載置部３ａに載置する。すると、携帯端末１ａの表示装置１１には、図１４（ｃ）に示すように、認証手続を行うことを指示する画面８２ｃが表示される。
【０１２５】
ユーザは、図１４（ｃ）に表示された画面８２ｃに従って、指紋読取装置１２に指紋を読み取らせる。携帯端末１ａは、指紋認証によるユーザ認証が適切であった場合、図１４（ｄ）に示すように、金種ごとの出金枚数の入力を指示する画面８２ｄを表示装置１１に表示する。また、携帯端末１ａは、図１４（ｄ）に示すように、「出金」と表示されたボタン８２ｅを表示装置１１に表示する。
【０１２６】
ユーザが携帯端末１ａにて金種ごとの出金枚数を入力し、「出金」と表示されたボタン８２ｅを押下すると、携帯端末１ａは、図１４（ｅ）に示すように、データ送信中であることを示す画面８２ｆを表示装置１１に表示する。
【０１２７】
携帯端末１ａは、データ送信が完了すると、図１４（ｆ）に示すように、出金処理が完了したことを示す画面８２ｇを表示装置１１に表示する。
【０１２８】
図１５は、携帯端末１ａの入金処理における動作例を示したフローチャートである。
【０１２９】
まず、受付部２１は、ユーザから入金開始の操作を受付ける（ステップＳ２１）。例えば、受付部２１は、図１３（ａ）に示したボタン８１ａの押下を受付ける。
【０１３０】
次に、表示部２６は、ステップＳ２１の入金開始操作の受付けに応じて、携帯端末１ａを載置部２ａへ載置することを指示する画面を表示装置１１に表示する（ステップＳ２２）。例えば、表示部２６は、図１３（ｂ）に示した画面８１ｂを表示装置１１に表示する。
【０１３１】
次に、表示部２６は、携帯端末１ａが載置部２ａに載置されたことを確認すると、ユーザにユーザ認証を行うことを指示する画面を表示装置１１に表示する（ステップＳ２３）。例えば、表示部２６は、図１３（ｃ）に示した画面８１ｃを表示装置１１に表示する。
【０１３２】
次に、認証部２２は、ユーザの認証処理を行う（ステップＳ２４）。例えば、認証部２２は、指紋読取装置１２が読み取ったユーザの指紋情報を貨幣入金機２に送信し、貨幣入金機２から認証結果を受信する。
【０１３３】
次に、表示部２６は、ユーザ認証が終わると、貨幣を入金口３２に投入することを指示する画面を表示装置１１に表示する（ステップＳ２５）。例えば、表示部２６は、図１３（ｄ）に示した画面８１ｄを表示装置１１に表示する。
【０１３４】
次に、送信部２３は、受付部２１がユーザから入金指示を受付けると、入金指示情報を貨幣入金機２に送信する（ステップＳ２６）。例えば、送信部２３は、受付部２１が図１３（ｄ）に示したボタン８１ｅの押下を受付けると、入金指示情報を貨幣入金機２に送信する。
【０１３５】
なお、貨幣入金機２の制御部３１は、携帯端末１ａから入金指示情報が送信されると、入金口３２に投入された貨幣を識別部３４で識別させ、入金口３２に投入された貨幣の金種ごとの枚数と、金額とを計数する。そして、貨幣入金機２の制御部３１は、計数した金額を携帯端末１ａに送信する。金額が計数された貨幣は、一時保留部３６ａ〜３６ｃに一時保留される。
【０１３６】
次に、表示部２６は、貨幣入金機２から送信された入金金額を表示装置１１に表示する（ステップＳ２７）。例えば、表示部２６は、図１３（ｅ）に示すように、入金金額を表示装置１１に表示する。
【０１３７】
次に、送信部２３は、受付部２１がユーザから入金金額の確認を受付けると、貨幣の収納指示を貨幣入金機２に送信する（ステップＳ２８）。例えば、送信部２３は、図１３（ｅ）に示したボタン８１ｇが押下されると、貨幣の収納指示を貨幣入金機２に送信する。
【０１３８】
なお、貨幣入金機２の制御部３１は、携帯端末１ａから収納指示を受信すると、一時保留部３６ａ〜３６ｃに一時保留していた貨幣を収納部３７ａ〜３７ｃに収納する。そして、貨幣入金機２の制御部３１は、図６で説明した情報を含む入金結果を携帯端末１ａに送信する。
【０１３９】
次に、受信部２４は、貨幣入金機２から入金結果を受信する（ステップＳ２９）。
【０１４０】
次に、記憶部２７は、ステップＳ２８にて受信された入金結果を記憶する（ステップＳ３０）。これにより、記憶部２７には、図６に示したような入出金テーブル２７ａが構成される。
【０１４１】
次に、上位装置通信部２５は、ステップＳ２８にて受信された入金結果をサーバ４に送信する（ステップＳ３１）。なお、サーバ４は、携帯端末１ａから送信された入金結果を記憶部７２に記憶する。これにより、サーバ４の記憶部７２には、図１２に示したような入出金テーブル７２ａが構成される。
【０１４２】
次に、表示部２６は、ステップＳ３０による入金結果のサーバ４への送信が完了すると、入金が完了したことを示す画面を表示装置１１に表示する（ステップＳ３２）。例えば、表示部２６は、図１３（ｇ）の画面８１ｉを表示装置１１に表示する。
【０１４３】
図１６は、携帯端末１ａの出金処理における動作例を示したフローチャートである。
【０１４４】
まず、受付部２１は、ユーザから出金開始の操作を受付ける（ステップＳ４１）。例えば、受付部２１は、図１４（ａ）に示したボタン８２ａの押下を受付ける。
【０１４５】
次に、表示部２６は、ステップＳ４１の出金開始操作の受付けに応じて、携帯端末１ａを載置部３ａへ載置することを指示する画面を表示装置１１に表示する（ステップＳ４２）。例えば、表示部２６は、図１４（ｂ）に示した画面８２ｂを表示装置１１に表示する。
【０１４６】
次に、表示部２６は、携帯端末１ａが載置部３ａに載置されたことを確認すると、ユーザにユーザ認証を行うことを指示する画面を表示装置１１に表示する（ステップＳ４３）。例えば、表示部２６は、図１４（ｃ）に示した画面８２ｃを表示装置１１に表示する。
【０１４７】
次に、認証部２２は、ユーザの認証処理を行う（ステップＳ４４）。例えば、認証部２２は、指紋読取装置１２が読み取ったユーザの指紋情報を貨幣出金機３に送信し、貨幣出金機３から認証結果を受信する。
【０１４８】
次に、表示部２６は、ユーザ認証が終わると、貨幣の出金枚数の入力を指示する画面を表示装置１１に表示する（ステップＳ４５）。例えば、表示部２６は、図１４（ｄ）に示した画面８２ｄを表示装置１１に表示する。
【０１４９】
次に、送信部２３は、受付部２１がユーザから出金指示を受付けると、出金指示情報を貨幣出金機３に送信する（ステップＳ４６）。例えば、送信部２３は、図１４（ｄ）に示したボタン８２ｅが押下されると、出金指示情報を貨幣出金機３に送信する。出金指示情報には、例えば、図１４（ｄ）に示した金種ごとの出金枚数が含まれている。
【０１５０】
なお、貨幣出金機３の制御部５１は、携帯端末１ａから出金指示情報を受信すると、収納部５２から貨幣を出金する。そして、貨幣出金機３の制御部５１は、図６で説明した情報を含む出金結果を携帯端末１ａに送信する。
【０１５１】
次に、受信部２４は、貨幣出金機３から出金結果を受信する（ステップＳ４７）。
【０１５２】
次に、記憶部２７は、ステップＳ４７にて受信された出金結果を記憶する（ステップＳ４８）。これにより、記憶部２７には、図６に示したような入出金テーブル２７ａが構成される。
【０１５３】
次に、上位装置通信部２５は、ステップＳ４７にて受信された出金結果をサーバ４に送信する（ステップＳ４９）。なお、サーバ４は、携帯端末１ａから送信された出金結果を記憶部７２に記憶する。これにより、サーバ４の記憶部７２には、図１２に示したような入出金テーブル７２ａが構成される。
【０１５４】
次に、表示部２６は、ステップＳ４９による出金結果のサーバ４への送信が完了すると、出金が完了したことを示す画面を表示装置１１に表示する（ステップＳ５０）。例えば、表示部２６は、図１４（ｆ）の画面８２ｇを表示装置１１に表示する。
【０１５５】
図１７は、貨幣入金機２の動作例を示したフローチャートである。
【０１５６】
まず、送信部４２は、携帯端末１ａが載置部２ａに載置されると、載置されたことを示す情報を携帯端末１ａに送信する（ステップＳ６１）。例えば、貨幣入金機２は、載置部２ａに携帯端末１ａが載置されたことを検出する検出部を備える。送信部４２は、検出部によって携帯端末１ａの載置が検出されると、携帯端末１ａが載置部２ａに載置されたことを示す情報を携帯端末１ａに送信する。
【０１５７】
次に、認証部４４は、ユーザ認証処理を行う（ステップＳ６２）。例えば、認証部４４は、携帯端末１ａから受信したユーザの指紋情報と、記憶部４５に記憶されている指紋情報とを照合し、ユーザ認証を行う。
【０１５８】
次に、受信部４３は、携帯端末１ａから、入金指示情報を受信する（ステップＳ６３）。
【０１５９】
次に、入金処理部４１は、ステップＳ６３の入金指示情報の受信に応じて、入金口３２に投入された貨幣の金種ごとの枚数と、金額とを計数する（ステップＳ６４）。なお、入金処理部４１は、計数した貨幣を一時保留部３６ａ〜３６ｃに一時保留する。
【０１６０】
次に、送信部４２は、ステップＳ６４にて計数された入金金額を携帯端末１ａに送信する（ステップＳ６５）。これにより、携帯端末１ａの表示装置１１には、図１３（ｅ）に示した画面８１ｆとボタン８１ｇとが表示される。
【０１６１】
次に、受信部４３は、携帯端末１ａから、貨幣の収納指示を受信する（ステップＳ６６）。なお、図１３（ｅ）に示したボタン８１ｇが押下された場合、携帯端末１ａから、貨幣の収納指示が送信される。
【０１６２】
次に、入金処理部４１は、貨幣の収納処理を行う（ステップＳ６７）。例えば、入金処理部４１は、一時保留部３６ａ〜３６ｃに一時保留していた貨幣を、収納部３７ａ〜３７ｃに収納する。そして、入金処理部４１は、入金結果の情報を生成する。
【０１６３】
次に、送信部４２は、入金処理部４１が生成した入金結果を携帯端末１ａに送信する（ステップＳ６８）。
【０１６４】
なお、入金の取引開始日時は、例えば、ステップＳ６３にて入金指示情報を受信したときとなる。また、入金の取引終了日時は、例えば、ステップＳ６８にて入金結果を送信したときとなる。
【０１６５】
図１８は、貨幣出金機３の動作例を示したフローチャートである。
【０１６６】
まず、送信部６２は、携帯端末１ａが載置部３ａに載置されると、載置されたことを示す情報を携帯端末１ａに送信する（ステップＳ７１）。例えば、貨幣出金機３は、載置部３ａに携帯端末１ａが載置されたことを検出する検出部を備える。送信部６２は、検出部によって携帯端末１ａの載置が検出されると、携帯端末１ａが載置部３ａに載置されたことを示す情報を送信する。
【０１６７】
次に、認証部６４は、ユーザ認証処理を行う（ステップＳ７２）。例えば、認証部６４は、携帯端末１ａから受信したユーザの指紋情報と、記憶部６５に記憶されている指紋情報とを照合し、ユーザ認証を行う。
【０１６８】
次に、受信部６３は、携帯端末１ａから、出金指示情報を受信する（ステップＳ７３）。なお、図１４（ｄ）に示したボタン８２ｅが押下された場合、携帯端末１ａから、出金指示情報が送信される。
【０１６９】
次に、出金処理部６１は、出金処理を行う（ステップＳ７４）。例えば、ステップＳ７３にて受信された出金指示情報には、出金する貨幣の金種と枚数との情報が含まれている。出金処理部６１は、出金指示情報に含まれている金種の貨幣を、出金指示情報に含まれている枚数分、収納部５２からへ出金口５５に出金する。そして、出金処理部６１は、出金結果の情報を生成する。
【０１７０】
次に、送信部６２は、出金処理部６１が生成した出金結果を携帯端末１ａに送信する（ステップＳ７５）。
【０１７１】
なお、出金の取引開始日時は、例えば、ステップＳ７３にて出金指示情報を受信したときとなる。また、出金の取引終了日時は、例えば、ステップＳ７５にて出金結果を送信したときとなる。
【０１７２】
以上説明したように、貨幣入金機２の受信部４３は、携帯端末１ａ〜１ｆがユーザから受付けた入金指示の入金指示情報を、携帯端末１ａ〜１ｆから無線通信により受信する。入金処理部４１は、受信部４３が受信した入金指示情報に応じて、ユーザが入金口３２に投入した貨幣の入金処理を行う。送信部４２は、入金処理部４１が行った入金処理の入金結果を、携帯端末１ａ〜１ｆに無線通信により送信する。これにより、貨幣入金機２は、装置の低コスト化を図り、入金管理の簡易化を図ることができる。
【０１７３】
例えば、携帯端末１ａ〜１ｆが貨幣入金機２の入出力機能を担うので、貨幣入金機２は、表示装置またはキー装置等の入出力装置を備えなくて済み、コスト低減を図ることができる。また、貨幣入金機２は、入金結果を記憶する記憶部を備えなくて済み、コスト低減を図ることができる。また、貨幣入金機２は、入金結果を携帯端末１ａ〜１ｆに送信するので、ユーザは、携帯端末１ａ〜１ｆをモバイル通帳として使用でき、入金管理が簡易となる。
【０１７４】
また、貨幣出金機３の受信部６３は、携帯端末１ａ〜１ｆがユーザから受付けた出金指示の出金指示情報を、携帯端末１ａ〜１ｆから無線通信により受信する。出金処理部６１は、受信部６３が受信した出金指示情報に応じて、収納部５２に収納している貨幣の出金処理を行う。送信部６２は、出金処理部６１が行った出金処理の出金結果を、携帯端末１ａ〜１ｆに無線通信により送信する。これにより、貨幣出金機３は、装置の低コスト化を図り、出金管理の簡易化を図ることができる。
【０１７５】
例えば、携帯端末１ａ〜１ｆが貨幣出金機３の入出力機能を担うので、貨幣出金機３は、表示装置またはキー装置等の入出力装置を備えなくて済み、コスト低減を図ることができる。また、貨幣出金機３は、出金結果を記憶する記憶部を備えなくて済み、コスト低減を図ることができる。また、貨幣出金機３は、出金結果を携帯端末１ａ〜１ｆに送信するので、ユーザは、携帯端末１ａ〜１ｆをモバイル通帳として使用でき、出金管理が簡易となる。
【０１７６】
また、携帯端末１ａ〜１ｆの送信部２３は、ユーザから受付けた入金指示の入金指示情報を、貨幣入金機２に無線通信により送信する。受信部２４は、送信部２３が送信した入金指示情報に応じて、ユーザが入金口３２に投入した貨幣の入金処理を行った貨幣入金機２から、入金結果を無線通信により受信する。記憶部２７は、受信部２４が受信した入金結果を記憶する。これにより、携帯端末１ａ〜１ｆは、装置の低コスト化を図り、入金管理の簡易化を図ることができる。
【０１７７】
例えば、携帯端末１ａ〜１ｆが貨幣入金機２の入出力機能を担うので、貨幣入金機２は、表示装置またはキー装置等の入出力装置を備えなくて済み、コスト低減を図ることができる。また、貨幣入金機２は、入金結果を記憶する記憶部を備えなくて済み、コスト低減を図ることができる。また、貨幣入金機２は、入金結果を携帯端末１ａ〜１ｆに送信するので、ユーザは、携帯端末１ａ〜１ｆをモバイル通帳として使用でき、入金管理が簡易となる。
【０１７８】
また、携帯端末１ａ〜１ｆの送信部２３は、ユーザから受付けた出金指示の出金指示情報を、貨幣出金機３に無線通信により送信する。受信部２４は、送信部２３が送信した出金指示情報に応じて、収納部５２に収納している貨幣の出金処理を行った貨幣出金機３から、出金結果を無線通信により受信する。記憶部２７は、受信部２４が受信した出金結果を記憶する。これにより、携帯端末１ａ〜１ｆは、装置の低コスト化を図り、出金管理の簡易化を図ることができる。
【０１７９】
例えば、携帯端末１ａ〜１ｆが貨幣出金機３の入出力機能を担うので、貨幣出金機３は、表示装置またはキー装置等の入出力装置を備えなくて済み、コスト低減を図ることができる。また、貨幣出金機３は、出金結果を記憶する記憶部を備えなくて済み、コスト低減を図ることができる。また、貨幣出金機３は、出金結果を携帯端末１ａ〜１ｆに送信するので、ユーザは、携帯端末１ａ〜１ｆをモバイル通帳として使用でき、出金管理が簡易となる。
【０１８０】
なお、携帯端末１ａ〜１ｆの受付部２１は、ユーザから入金金額を受付け、送信部２３は、受付部２１が受付けた入金金額を入金指示情報に含めて貨幣入金機２に送信してもよい。例えば、受付部２１は、図１３（ｄ）に示した画面において、入金金額を受付け、送信部２３は、ボタン８１ｅが押下されたときに入金金額を貨幣入金機２に送信してもよい。そして、貨幣入金機２の入金処理部４１は、携帯端末１ａ〜１ｆから送信された入金指示情報に含まれている入金金額と、ユーザが入金口３２に投入した貨幣の金額の計数結果を比較し、比較結果を携帯端末１ａ〜１ｆに送信してもよい。携帯端末１ａ〜１ｆは、比較結果を表示装置１１に表示することにより、ユーザに入金金額の間違えを知らせることができる。
【０１８１】
また、貨幣出金機３の出金処理部６１は、携帯端末１ａ〜１ｆから送信された出金指示情報に含まれている出金金額と、出金口５５に出金した貨幣の金額の計数結果を比較してもよい。出金処理部６１は、比較結果が異なっている場合、出金処理をやり直してもよい。
【０１８２】
また、貨幣入金機２は、携帯端末１ａ〜１ｆに入金結果が送信された後、携帯端末１ａ〜１ｆとの無線通信を終了する通信制御部を備えていてもよい。例えば、通信制御部は、送信部４２が入金結果を携帯端末１ａ〜１ｆに送信した後、送信部４２および受信部４３の無線通信を終了（終呼）させる。このように、貨幣入金機２は、ユーザの入金処理が終わった後、ユーザから通信終了の操作を受付けることなく無線通信を終了することにより、ユーザの入金操作を簡易化することができる。なお、通信制御部は、携帯端末１ａ〜１ｆが載置部２ａに載置されたとき、携帯端末１ａ〜１ｆと無線通信を開始してもよい。例えば、検出部によって、携帯端末１ａ〜１ｆの載置部２ａへの載置が検出されると、通信制御部は、送信部４２および受信部４３の動作を開始させ、無線通信を開始してもよい。
【０１８３】
また、貨幣出金機３は、携帯端末１ａ〜１ｆに出金結果が送信された後、携帯端末１ａ〜１ｆとの無線通信を終了する通信制御部を備えていてもよい。例えば、通信制御部は、送信部６２が出金結果を携帯端末１ａ〜１ｆに送信した後、送信部６２および受信部６３の無線通信を終了させる。このように、貨幣出金機３は、ユーザの出金処理が終わった後、ユーザから通信終了の操作を受付けることなく無線通信を終了することにより、ユーザの出金操作を簡易化することができる。なお、通信制御部は、携帯端末１ａ〜１ｆが載置部３ａに載置されたとき、携帯端末１ａ〜１ｆと無線通信を開始してもよい。例えば、検出部によって、携帯端末１ａ〜１ｆの載置部３ａへの載置が検出されると、通信制御部は、送信部６２および受信部６３の動作を開始させ、無線通信を開始してもよい。
【０１８４】
また、携帯端末１ａ〜１ｆ、貨幣入金機２、および貨幣出金機３は、ブルートゥース（登録商標）によって無線通信を行ってもよい。
【０１８５】
また、携帯端末１ａ〜１ｆ、貨幣入金機２、および貨幣出金機３は、ＮＦＣによってペアリングを行い、その後、ブルートゥースによって無線通信を行ってもよい。
【０１８６】
また、上記で説明した無線通信には、ＱＲコードを用いた通信も含まれる。例えば、携帯端末１ａ〜１ｆは、表示装置１１にＱＲコードを表示する。貨幣入金機２は、表示装置１１に表示されたＱＲコードを読み込み、読み込んだＱＲコードから、入金指示情報を受信してもよい。また、携帯端末１ａ〜１ｆは、表示装置１１にＱＲコードを表示する。貨幣出金機３は、表示装置１１に表示されたＱＲコードを読み込み、読み込んだＱＲコードから、出金指示情報を受信してもよい。
【０１８７】
また、携帯端末１ａ〜１ｆは、撮像装置１３を用いて、貨幣入金機２および貨幣出金機３に貼り付けられているＱＲコードを読み込み、ブルートゥースによるペアリングを行ってもよい。
【０１８８】
また、携帯端末１ａ〜１ｆは、貨幣入金機２および貨幣出金機３に載置されて無線通信を行うとしたが、これに限られない。例えば、携帯端末１ａ〜１ｆは、載置部２ａ，３ａに載置されず、貨幣入金機２および貨幣出金機３と数メートルの範囲内において無線通信を行ってもよい。すなわち、ユーザは、携帯端末１ａ〜１ｆを持ったまま、貨幣入金機２および貨幣出金機３を操作してもよい。
【０１８９】
また、貨幣入金機２が携帯端末１ａ〜１ｆに送信する入金結果には、ユーザが入金した金額の情報は含まれなくてもよい。例えば、携帯端末１ａがユーザから受付けた金額の情報を記憶部２７に記憶してもよい。
【０１９０】
また、貨幣入金機２が携帯端末１ａ〜１ｆに送信する出金結果には、ユーザが出金した金額の情報は含まれなくてもよい。例えば、携帯端末１ａがユーザから受付けた金額の情報を記憶部２７に記憶してもよい。
【０１９１】
また、貨幣入金機２は、貨幣を出金する機能（貨幣出金機３の機能）を有していてもよい。また、貨幣出金機３は、貨幣を入金する機能（貨幣入金機２の機能）を有していてもよい。
【０１９２】
また、ユーザ認証は、携帯端末１ａ〜１ｆだけで行ってもよい。すなわち、携帯端末１ａ〜１ｆが、ユーザの指紋情報等を記憶し、ユーザ認証を行ってもよい。
【０１９３】
また、貨幣入金機２が指紋読取装置を備えていてもよい。そして、貨幣入金機２が、指紋読取装置が読み取った指紋情報と、記憶部４５に記憶されている指紋情報とを照合し、ユーザ認証を行ってもよい。すなわち、貨幣入金機２が、単独でユーザ認証を行ってもよい。貨幣出金機３についても同様である。
【０１９４】
また、貨幣入金機２は、指紋読取装置が読み取った指紋情報を、携帯端末１ａ〜１ｆを介して、上位装置であるサーバ４に送信してもよい。そして、サーバ４が、指紋情報に基づいて、ユーザ認証を行ってもよい。貨幣出金機３についても同様である。
【符号の説明】
【０１９５】
１ａ〜１ｆ  携帯端末
２  貨幣入金機
２ａ  載置部
３  貨幣出金機
３ａ  載置部
４  サーバ
２１  受付部
２２，４４，６４  認証部
２３，４２，６２  送信部
２４，４３，６３  受信部
２５  上位装置通信部
２６  表示部
２７，４５，６５  記憶部
４１  入金処理部
６１  出金処理部
【図１】
2018147249.tif 000003
【図２】
2018147249.tif 000004
【図３】
2018147249.tif 000005
【図４】
2018147249.tif 000006
【図５】
2018147249.tif 000007
【図６】
2018147249.tif 000008
【図７】
2018147249.tif 000009
【図８】
2018147249.tif 000010
【図９】
2018147249.tif 000011
【図１０】
2018147249.tif 000012
【図１１】
2018147249.tif 000013
【図１２】
2018147249.tif 000014
【図１３】
2018147249.tif 000015
【図１４】
2018147249.tif 000016
【図１５】
2018147249.tif 000017
【図１６】
2018147249.tif 000018
【図１７】
2018147249.tif 000019
【図１８】
2018147249.tif 000020